(57)【特許請求の範囲】
【請求項１】
旗地の一側縁及び上端縁にそれぞれ複数のループ状の掛止布片が取り付けられ、該旗地の一側縁に配設された該掛止布片に旗竿を挿通させ、該旗地の上端縁に配設された掛止布片に横竿を挿通させ、該横竿が前記旗竿の上端部に取り付けられた回転部材を介して該旗竿の上端部に旗竿の軸を中心として回転自在に取り付けられており、前記旗地の一側縁の下端に配置された掛止布片の該旗地へ固定される長方形の固定部に錘が吊下げられてなるのぼり旗装置において、
前記固定部が、前記旗竿に平行な互いに対向する両端側の２辺及びその間の２本の対角線にて糸で縫い付けられて旗地に固定されており、該旗地の一側縁を含む縫い付け箇所で仕切られた前記旗竿に最も近い部分である三角形の区域内に、金属リングで囲まれた取付孔が設けられており、
前記錘が、略球状の錘本体と該錘本体に一体で固定された長円形でリング状のフックとからなると共にその重量が４０〜７０グラムであり、該フックにて前記取付孔に取り付けられて吊るされたことを特徴とするのぼり旗装置。
【請求項２】
前記取付孔が、前記旗地に貫通孔を設け、該貫通孔の周縁に前記金属リングをパンチングにより取り付けて形成されたものであることを特徴とする前記請求項１に記載ののぼり旗装置。
【発明の詳細な説明】
【０００１】
【発明の属する技術分野】
本発明は、広告宣伝等に用いるために店頭や、街路沿い等に立設されるのぼり旗装置に関する。
【０００２】
【従来の技術】
従来、この種ののぼり旗装置は、旗地の一側縁及び上端縁にそれぞれ複数の掛止布片が取り付けられ、旗地の一側縁に配設された掛止布片に旗竿を挿通させ、旗地の上端縁に配設された掛止布片に横竿を挿通させ、横竿が旗竿の上端部に取り付けられた回転部材を介して旗竿の上端部に旗竿の軸を中心として回転自在に取り付けられている。しかし、こののぼり旗装置は、強風下において、旗地が旗竿の上部に捲れ上がり、旗竿に絡みつき易いため、広告宣伝用としての機能を果たすことができなくなるという問題があった。
【０００３】
これに対して、例えば特許文献１に示すように、旗地の下端縁全体に砂入り袋からなる錘を取りつけた広告用旗（のぼり旗装置）が知られている。また、同特許文献１には、旗地の下端縁の旗竿と反対側端部に錘あるいは錘を兼ねた風鈴を取りつけた広告用旗が開示されている。しかし、上記いずれの錘も、その取り付け位置である旗地の下端は、のぼり旗装置の周囲に置かれた車両に当る位置になっており、さらには周囲を通行する人、特に子供の上半身に当る位置になっている。そのため、旗地が風によって旗竿の回りを回転するときに、錘が車両等にあたってそれらに損傷を与えるおそれがある。さらには、子供の上半身に当ることによる事故が発生する危険もある。また、上記広告用旗は、従来の旗に錘を取り付けるための取り付け部分を新たに設ける必要があり、それによる加工の手間及びコストが大きい。また、新たに旗地に錘取り付け部分を設けることにより、旗地の下端側での表示が制限されるため、のぼり旗装置の広告宣伝機能が損なわれ、特に下端縁全体に砂袋を取り付けた旗地について顕著である。
【０００４】
また、錘の重さが例えば１００グラム程度にもなると、旗地の錘取り付け部分において錘の重量により旗地が損傷を受け易く、また錘の重さにより旗竿上端の回転部材も損傷を受け易くなる。さらに、錘の旗地への取り付け部分や取付手段によっても、旗地が損傷を受け易いため、従来ののぼり旗装置において、単に旗地に錘を取り付けることで、のぼり旗装置の機能を安定して得ることは困難であった。
【０００５】
【特許文献１】
実開昭６３−２００８８５号公報（第１頁、第１図−第３図）
【０００６】
【発明が解決しようとする課題】
本発明は、上記した問題を解決しようとするもので、風による旗地の捲くれ上がりや旗竿への巻き付きを簡易に防止できると共に、周囲の物や人等に被害を与えることが無く、のぼり旗としての表示機能が損なわれることがなく、さらに旗地や回転部材の損傷がない、従来の構造を利用した安価なのぼり旗装置を提供することを目的とする。
【０００７】
【課題を解決するための手段】
上記目的を達成するために請求項１の発明の構成上の特徴は、旗地の一側縁及び上端縁にそれぞれ複数のループ状の掛止布片が取り付けられ、旗地の一側縁に配設された掛止布片に旗竿を挿通させ、旗地の上端縁に配設された掛止布片に横竿を挿通させ、横竿が旗竿の上端部に取り付けられた回転部材を介して旗竿の上端部に旗竿の軸を中心として回転自在に取り付けられており、旗地の一側縁の下端に配置された掛止布片の旗地へ固定される長方形の固定部に錘が吊下げられてなるのぼり旗装置において、固定部が、旗竿に平行な互いに対向する両端側の２辺及びその間の２本の対角線にて糸で縫い付けられて旗地に固定されており、旗地の一側縁を含む縫い付け箇所で仕切られた旗竿に最も近い部分である三角形の区域内に、金属リングで囲まれた取付孔が設けられており、錘が、略球状の錘本体と錘本体に一体で固定された長円形でリング状のフックとからなると共にその重量が４０〜７０グラムであり、フックにて取付孔に取り付けられて吊るされたことにある。
【０００８】
なお、錘の重量は、４０〜７０グラムの範囲であればよいが、より好ましくは５５〜６０グラムである。なお、錘の重量が４０グラムより小さい場合には、錘の旗地を引っ張る効果が少なくなり、旗地が捲り上げられるおそれがある。また、錘の重量が７０グラムより重い場合、かえって旗地や回転部材に加わる負荷が大きくなり、それらの損傷の原因になると共に、旗地のスムーズな回転が損なわれるおそれもある。さらに、錘が７０グラムより重くなることにより、錘の値段が上がると共に取り扱いの手間が増加し、さらに錘が当ることによる無用の事故等の発生のおそれもある。
【０００９】
上記のように構成した請求項１の発明においては、４０〜７０グラムの範囲の錘が、旗地の一側縁の下端に配置された掛止布片の旗地への固定部の旗竿に最も近いに区域内に取り付けられて吊るされたことにより、旗地が錘によって最も有効に引っ張れた状態になる。そのため、強風が吹いても、旗地が捲り上げられたり旗竿に巻き付けられることなく一杯に広げられた状態で、旗竿の回りをスムーズに回転することができ、旗地の広告宣伝効果が非常に有効に発揮される。また、錘の重量が軽量にされたことにより、旗地や回転部材に加わる負荷が少なく、それらが損傷を受けることがなく、また旗地のスムーズな回転を妨げることもない。さらに、錘が軽量であることにより、錘の値段が安価にされ、錘の取り扱いが容易であり、さらに錘の落下等に伴う無用の事故の発生も抑えられる。
【００１０】
また、錘は、旗地下端の旗竿に最も接近した掛止布片の固定部に取り付けられているため、旗地の回転によっても、錘の移動範囲は旗竿近辺に限定される。そのため、旗地が風によって旗竿の回りを回転するときに、錘が車両等にあたってそれらに損傷を与えるおそれが少なく、さらには、のぼり旗装置の周囲を通る人、特に子供の上半身に当ることによる事故の発生するおそれもほとんどない。また、旗地については、従来の旗地をそのまま使用して取付孔を設けるのみであるため、錘を取り付けるために旗地に新たに錘の取り付け部分を設ける必要がないので、それによる加工の手間及びコストが不要となり、旗地が安価に提供される。また、新たに旗地に錘を取り付けるために、旗地の下端側を折り返して縫い付ける等を行う必要が無いため、旗地の下端側での表示機能が損なわれることなく、従来通りの表示が確保される。また、従来の固定部をそのまま利用して、金属リングで囲まれた取付孔を設けたことにより、錘の取り付け部分における旗地の強度が高められる。
【００１１】
また、請求項２の発明の構成上の特徴は、上記請求項１に記載ののぼり旗装置において、取付孔が、旗地に貫通孔を設け、貫通孔の周縁に金属リングをパンチングにより取り付けて形成されたものであることにある。このように、固定部に予め貫通孔が形成され、この貫通孔にパンチングにより金属リングが取り付けられたことにより、固定部における取付孔の強度が確保される。
【００１２】
【発明の実施の形態】
以下、本発明の一実施の形態について図面を用いて説明する。図１及び図２は、同実施形態であるのぼり旗装置を正面図及び要部拡大図により概略的に示したものである。のぼり旗装置１０は、縦長の長方形の旗地１１の一側縁及び上端縁にちぎりと呼ばれるそれぞれ複数のループ状の掛止布片１２が取り付けられ、旗地１１の一側縁に配設された掛止布片１２に旗竿２１を挿通させ、旗地１１の上端縁に配設された掛止布片１２に横竿２６を挿通させ、横竿２６を旗竿２１の上端部に取り付けられた回転部材２５を介して旗竿２１の上端部に旗竿２１の軸を中心として回転自在に取り付けることにより構成されている。旗地１１の一側縁の下端に配置された掛止布片１２の旗地１１に取り付けられた固定部１３には、錘１６が吊下げられている。
【００１３】
旗地１１は、縦長の長方形の布、不織布、あるいはビニール等の樹脂製シート等が用いられ、その片面あるいは両面に広告宣伝用の図柄や文字等が施されている。掛止布片１２は、旗地１１の一側縁及び上端縁に等間隔で複数箇所に取り付けられている。掛止布片１２は、アクリルテープやＢＰテープ等の撥水性を有すると共に強風で引き千切られない十分な強度を有する長尺のテープが用いられ、その両端で旗地１１を挟んで固定された固定部１３と、その中間部分で旗地１１の外側にループ状に延びた掛止部１４とを有している。
【００１４】
固定部１３は、図２に示すように、旗竿２１に平行な互いに対向する両端側の２辺１３ａ及びその間を斜め十文字に交叉した２本の対角線１３ｂで糸で縫い付けられて旗地１１に固定されており、糸が縫い付けられた２辺１３ａ及び対角線１３ｂにより固定部１３が４つの三角形の区域に分けられている。４つの区域の内、旗地１１の一側縁を含む区域１５は、その三辺が糸で縫い付けられているため、強度が最も高くされている。区域１５には取付孔１５ａが設けられている。取付孔１５ａは、まず区域１５に孔開け治具により整形された貫通孔を形成し、この貫通孔にハトメパンチでリング状の金属リングを取り付けることにより形成されている。そのため、取付孔１５ａは高い強度で信頼性よく形成されている。
【００１５】
錘１６は、略球状の錘本体１７と錘本体１７に一体で固定された長円形のリング状のフック１８とからなり、重量が４０〜７０グラムとなっている。フック１８は、弾性を有する金属線を曲げ加工したもので、錘本体１７への取り付け部分の近傍にて開閉可能な挿入部１８ａを有しており、挿入部１８ａにて取付孔１５ａに装着される。錘１６は、旗地１１の一側縁下端に固定された固定部１３の取付孔１５ａにフック１８にて係止されて、旗地１１に吊下げられる。なお、錘本体１７については、略球状であればよいが、あまり縦長あるいは横長のものは好ましくない。フック１８についても上記形態のものに限らず取付孔に簡易に係止されるものであればよい。
【００１６】
旗竿２１は、中空の大径部２２と、大径部２２に伸縮自在に挿入された小径部２３とからなり、大径部２２の一端に設けた締め具２４により小径部２３が大径部２２に固定されるようになっている。このように、旗竿２１の全長が、小径部２３の大径部２２への挿入長さを調節することにより調節可能になっている。また、旗竿２１の小径部２３の上端には、回転部材２５が回転自在に支持されている。横竿２６は、旗地１１の幅よりわずかに長い細長い棒であり、一端側に旗地１１上端縁の外端に固定された掛止布片１２を係止して、その掛止布片１２の他端側への移動を防止する係止片２６ａを有しており、他端側にて回転部材２５に挿通されて、ねじにより回転部材２５に締め付け固定されている。のぼり旗装置１０は、コンクリート製の取付台２８に立設される。
【００１７】
上記のように構成した実施形態に係るのぼり旗装置１０においては、錘１６が、旗地１１の一側縁の下端に配置された掛止布片１２の固定部１３の旗竿２１に最も近い部分である上記区域１５に取付けて吊り下げられたことにより、旗地１１が錘１６によって有効に引っ張れた状態にされる。そのため、強風が吹いても、旗地１１が捲り上げられたり旗竿２１に巻き付けられることなく、一杯に広げられた状態で旗竿２１の回りをスムーズに回転することができ、旗地１１の広告宣伝効果が非常に有効に発揮される。また、錘１６の重量が、４０〜７０グラムの範囲にあり、旗地１１の回転が円滑に行われる範囲内に抑えられて、旗地１１や回転部材２５に加わる負荷が小さくされているため、それらの損傷が確実に防止される。また、錘１６の重さが軽量であるため、旗地１１の回転に伴う無用の事故のおそれが無く、錘１６が誤って落下したとしても、それによる影響は少ない。さらに、錘１６が軽量であることにより、その取り扱いが容易であると共に、錘１６自体の値段も安価にされる。
【００１８】
また、錘１６は、旗地１１下端の旗竿２１に接近した掛止布片１２に取り付けられているため、旗地１１の回転によっても、錘１６の移動範囲は旗竿２１近辺に限定される。そのため、従来ののぼり旗装置に比べて、旗地１１が風によって旗竿２１の回りを回転するときに、錘１６が車両等にあたってそれらに損傷を与えるおそれが少なく、さらには、のぼり旗装置１０の周囲を通る人、特に子供の上半身に当ることによる事故の発生するおそれもほとんどない。また、のぼり旗装置１０は、従来の旗地１１に手を加えることなくそのまま使用することができ、錘１６を取り付けるために旗地１１に新たに錘１６の取り付け部分を設ける必要がない。そのため、取り付け部分の加工の手間及びコストが不要であり、のぼり旗装置１０のコストも安価にされる。また、新たに旗地１１に錘１６取り付けるために、旗地１１の下端側を折り返して縫い付ける等を行う必要が無いため、旗地１１の下端側での表示機能が損なわれることなく、従来通りの旗地１１全体を有効に利用した表示が行われる。
【００１９】
特に、錘１６が、旗竿２１に隣接した固定部１３の区域１５内の取付孔１５ａに取り付けられており、区域１５が糸で縫われた辺で囲まれて強化されているため、その取付強度が確保される。さらに、取付孔１５ａは、固定部１３に予め貫通孔が形成され、この貫通孔にパンチングにより金属リングが取り付けられたことにより、固定部１３における取付孔１５ａの強度がさらに安定して確保される。そのため、適正な重量の錘１６が取付孔１５ａに取り付けられることにより、固定部１３が破損することなく、固定部１３の信頼性が確保される。また、旗地１１としては、従来の旗地をそのまま使用することができるため、資材の有効活用が達成され、新たなコストの増加も押えられる。なお、上記各実施形態に示したのぼり旗装置については、一例であり、本発明の主旨を逸脱しない範囲において種々変更実施することが可能である。
【００２０】
【発明の効果】
上記請求項１の発明によれば、のぼり旗装置の旗地の一側縁の下端に配置された掛止布片の旗地への固定部分に、４０〜７０グラムの範囲の錘が取付けて吊るされたことにより、強風が吹いても、旗地が捲り上げられたりすることなく、旗地の広告宣伝効果が非常に有効に発揮される。また、錘の重量が軽量でかつ略球状になっているため、旗地や回転部材に加わる負荷による損傷を防止できると共に、錘による無用の事故の発生も防止される。さらに、錘は、旗地下端の旗竿に接近した掛止布片に取り付けられているため、旗地の回転によっても、錘が車両等にあたってそれらに損傷を与えるおそれがなく、さらには、のぼり旗装置の周囲を通る人に当ることによる事故の発生するおそれもない。また、従来の旗地をそのまま使用することができるため、資材の有効活用が図られると共に、旗地が安価に提供される。また、新たに旗地に錘取り付けるために、旗地の下端側を折り返して縫い付ける等を行う必要が無いため、旗地の下端側での表示機能が従来通りに得られる。
【００２１】
また、固定部に予め貫通孔が形成され、この貫通孔にパンチングにより金属リングが取り付けられたことにより、固定部における取付孔の強度が確保され、そのため、適正な重量の錘が取付孔に取り付けられることにより、固定部が破損することがなく、その信頼性が確保される（請求項２の発明の効果）。
【図面の簡単な説明】
【図１】本発明の一実施形態であるのぼり旗装置を概略的に示す平面図である。
【図２】のぼり旗装置の錘の取り付け部分を詳細に示す拡大図である。
【図３】錘を詳細に示す拡大図である。
【符号の説明】
１０…のぼり旗装置、１１…旗地、１２…掛止布片、１３…固定部、１４…掛止部、１５…区域、１５ａ…取付孔、１６…錘、１７…錘本体、１８…フック、１８ａ…挿入部、２１…旗竿、２５…回転部材、２６…横竿。
【図１】
0003637342.tif 000002
【図２】
0003637342.tif 000003
【図３】
0003637342.tif 000004